(57)【特許請求の範囲】
【請求項１】
着脱可能に外部記憶部が装着されるインターフェイス部と、
前記インターフェイス部に装着された外部記憶部にアクセスするジョブが選択されることに基づいて、ジョブを発生させるよう制御するジョブ発生制御部と、
外部記憶部にアクセスすることについての確認操作が行われた場合に、外部記憶部にアクセスすることを承認する承認部と、
前記インターフェイス部に装着された外部記憶部にアクセスすることが必要なジョブを前記ジョブ発生制御部が発生させる場合に、前記承認部が外部記憶部にアクセスすることについて承認すると、外部記憶部のマウントを行うマウント処理部と、
前記ジョブ発生制御部によって発生されたジョブが終了した場合に、外部記憶部のアンマウントを行うアンマウント処理部と、
前記マウント処理部によって外部記憶部のマウントが行われる場合、及び、前記アンマウント処理部によって外部記憶部のアンマウントが行われた場合に、それぞれ異なる報知を行う報知制御部と、を備え、
前記報知制御部は、
前記インターフェイス部に装着された外部記憶部にアクセスするジョブが選択された場合に、第１の警告を行い、
前記第１の警告を行った後に、外部記憶部にアクセスすることについての前記確認操作が行われた場合に、前記第１の警告とは態様が異なる第２の警告を行い、
前記第２の警告を行った後に、前記ジョブ発生制御部によってジョブを発生する制御が行われ、その後、ジョブが終了すると、前記第２の警告を解除し、
前記マウント処理部は、前記報知制御部によって前記第２の警告が行われた後に、外部記憶部のマウントを行い、
前記アンマウント処理部は、前記報知制御部による前記第２の警告の解除の前に、アンマウントを行う
画像形成装置。
【発明の詳細な説明】
【技術分野】
【０００１】
本発明は、外部記憶部を装着可能な画像形成装置に関する。
【背景技術】
【０００２】
コピー機及び複合機等の画像形成装置には、ＵＳＢ（Ｕｎｉｖｅｒｓａｌ  Ｓｅｒｉａｌ  Ｂｕｓ）メモリー及びメモリーカード等のリムーバブルメディアを装着可能になっているものがある。画像形成装置は、例えば、ＵＳＢメモリーが装着された場合、ＵＳＢメモリーに記憶される画像データに基づく画像を用紙に形成し、また、原稿読取部によって読み取られた原稿の画像に対応する画像データをＵＳＢメモリーに記憶することが可能である。
【０００３】
そのような画像形成装置では、例えば、ＵＳＢメモリーが装着された場合、ＵＳＢメモリーから画像データを読み出し又はＵＳＢメモリーに画像データを書き込むために、ＵＳＢメモリーのマウントを行う必要があった。また、画像形成装置では、例えば、ＵＳＢメモリーを取り外す場合、ユーザーによる明示的なアンマウント操作が行われた後（ユーザーによってＵＳＢメモリーを取り外すためのキーが操作された後）に、ＵＳＢメモリーのアンマウントが行われていた。さらに、画像形成装置では、例えば、ＵＳＢメモリーのアンマウントが行われた後に再度マウントを行う場合、ＵＳＢメモリーをいったん取り外した後、再度ＵＳＢメモリーを装着する必要があった。
このため、ＵＳＢメモリーのマウント及びアンマウントを自動的に行う装置が提案されている（特許文献１参照）。
【先行技術文献】
【特許文献】
【０００４】
【特許文献１】特開２００９−２２３６９９号公報
【発明の概要】
【発明が解決しようとする課題】
【０００５】
特許文献１に記載された装置では、明示的なアンマウント操作は必要ない。しかしながら、特許文献１に記載された装置では、ＵＳＢメモリーのマウントが行われた状態か又はアンマウントが行われた状態かをユーザーが識別することができない。このため、特許文献１に記載された装置では、その装置がＵＳＢメモリーにアクセスしている最中に、ユーザーによってＵＳＢメモリーが取り外されることにより、データが損失する可能性がある。
【０００６】
本発明は、ユーザーが外部記憶部のマウントを確実に認識できる画像形成装置を提供することを目的とする。
【課題を解決するための手段】
【０００７】
本発明は、ジョブを発生させるよう制御するジョブ発生制御部と、着脱可能に外部記憶部が装着されるインターフェイス部と、外部記憶部にアクセスすることを承認する承認部と、前記インターフェイス部に装着された外部記憶部にアクセスすることが必要なジョブを前記ジョブ発生制御部が発生させる場合に、前記承認部が外部記憶部にアクセスすることについて承認すると、外部記憶部のマウントを行うマウント処理部と、を備える画像形成装置に関する。
【０００８】
また、コピー機は、前記ジョブ発生制御部によって発生されたジョブが終了した場合に、外部記憶部のアンマウントを行うアンマウント処理部をさらに備えることが好ましい。
【０００９】
また、コピー機は、前記マウント処理部によって外部記憶部のマウントが行われる場合、及び、前記アンマウント処理部によって外部記憶部のアンマウントが行われた場合に、それぞれ異なる報知を行う報知制御部をさらに備えることが好ましい。
【発明の効果】
【００１０】
本発明によれば、ユーザーが外部記憶部のマウントを確実に認識できる画像形成装置を提供することができる。
【図面の簡単な説明】
【００１１】
【図１】画像形成装置の一実施形態に係るコピー機の全体構成を説明するための図である。
【図２】コピー機の機能構成を示すブロック図である。
【図３】操作部について説明するための図である。
【図４】タッチパネルに表示されるリムーバブルメディア（ＵＳＢメモリー）のアイコンについて説明するための図である。
【図５】コピー機（インターフェイス部）にリムーバブルメディア（ＵＳＢメモリー）が装着された場合の動作について説明するためのフローチャートである。
【図６】リムーバブルメディア（ＵＳＢメモリー）にアクセスするジョブが発生する場合の動作について説明するための図である。
【発明を実施するための形態】
【００１２】
以下、図面を参照して、本発明の画像形成装置の一実施形態に係るコピー機について説明する。まず、コピー機１の全体構成について説明する。図１は、画像形成装置の一実施形態に係るコピー機１の全体構成を説明するための図である。
【００１３】
図１に示すように、本実施形態のコピー機１は、原稿搬送部１０と、原稿読取部２０と、用紙搬送部３０と、画像形成部４０と、転写部５０と、定着部６０とを備える。
原稿搬送部１０は、ＡＤＦ（Ａｕｔｏｍａｔｉｃ  Ｄｏｃｕｍｅｎｔ  Ｆｅｅｄｅｒ）であり、原稿載置部１１と、第１送りローラー１２と、ガイド１３と、タイミングローラー対１４と、原稿排出部１５とを備える。第１送りローラー１２は、原稿載置部１１に載置された原稿Ｇを１枚ずつ順にタイミングローラー対１４に供給する。タイミングローラー対１４は、原稿読取部２０が原稿Ｇの画像を読み取るタイミングと、原稿Ｇの画像が原稿読取部２０によって読み取られる位置（ガイド１３が配置されている位置）に原稿Ｇを供給するタイミングとを合わせるために、原稿Ｇの搬送又は原稿Ｇの搬送停止を行う。ガイド１３は、搬送された原稿Ｇを後述する第１読取面２１ａに導く。原稿排出部１５は、原稿読取部２０によって画像が読み取られた（ガイド１３を通過した）原稿Ｇをコピー機本体２の外部に排出する。
原稿排出部１５におけるコピー機本体２の外側には、原稿集積部１６が形成される。原稿集積部１６には、原稿排出部１５から排出された原稿Ｇが積層して集積される。
【００１４】
原稿読取部２０は、第１読取面２１ａと、第２読取面２２ａとを備える。第１読取面２１ａは、ガイド１３に対向して配置された第１コンタクトガラス２１の上面に沿って形成され、原稿Ｇの画像を読み取る面となる。第２読取面２２ａは、第１読取面２１ａに隣接して（図１に示す場合では、第１読取面２１ａの右側の大部分に亘って）配置される。第２読取面２２ａは、原稿搬送部１０を用いずに原稿Ｇの画像を読み取る場合に用いられる。第２読取面２２ａは、原稿Ｇが載置される第２コンタクトガラス２２の上面に沿って形成され、原稿Ｇの画像を読み取る面となる。
【００１５】
また、原稿読取部２０は、照明部２３と、第１ミラー２４と、第２ミラー２５と、第３ミラー２６と、結像レンズ２７と、撮像部２８とをコピー機本体２の内部に備える。照明部２３と第１ミラー２４とは、それぞれ副走査方向Ｘに移動する。第２ミラー２５と第３ミラー２６とは、図１において照明部２３及び第１ミラー２４の左側に配置される。さらに、第２ミラー２５及び第３ミラー２６は、第１ミラー２４と、第２ミラー２５と、第３ミラー２６と、結像レンズ２７とを介した第１読取面２１ａ又は第２読取面２２ａから撮像部２８までの距離（光路長）を一定に保ちつつ、それぞれ副走査方向Ｘに移動する。
【００１６】
照明部２３は、原稿Ｇに光を照射する光源である。第１ミラー２４、第２ミラー２５及び第３ミラー２６は、光路長を一定に保ちつつ、原稿Ｇによって反射された光を結像レンズ２７に導くためのミラーである。結像レンズ２７は、第３ミラー２６から入射した光を撮像部２８に結像させる。撮像部２８は、入射された光を電気信号に変換することにより、結像された光像に基づいて画像データを得るための撮像素子であり、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等のイメージセンサーである。
【００１７】
用紙搬送部３０は、第２送りローラー３１と、第３送りローラー３２と、レジストローラー対３３と、用紙排出部３４とを備える。第２送りローラー３１は、給紙カセット３６に収容される用紙Ｔ（画像形成媒体）を転写部５０に供給する。第３送りローラー３２は、手差しトレイ３７に載置される用紙Ｔ（画像形成媒体）を転写部５０に供給する。レジストローラー対３３は、転写部５０にトナー画像が到達するタイミングと、転写部５０に用紙Ｔを供給するタイミングとを合わせるために、用紙Ｔの搬送又は用紙Ｔの搬送停止を行う。また、レジストローラー対３３は、用紙Ｔのスキュー（斜め給紙）補正を行う。用紙排出部３４は、トナー画像が定着された用紙Ｔをコピー機本体２の外部に排出する。
用紙排出部３４におけるコピー機本体２の外側には、排紙集積部３５が形成される。排紙集積部３５には、用紙排出部３４から排出された用紙Ｔが積層して集積される。
【００１８】
画像形成部４０は、トナー画像を形成するためのものであり、感光体ドラム４１と、帯電部４２と、レーザースキャナーユニット４３と、現像器４４と、クリーニング部４５と、トナーカートリッジ４６と、１次転写ローラー４７と、中間転写ベルト４８と、対向ローラー４９とを備える。
感光体ドラム４１（４１ａ，４１ｂ，４１ｃ，４１ｄ）は、ブラック、シアン、マゼンタ及びイエローそれぞれのトナー画像を形成するために、感光体又は像担持体として機能する。各感光体ドラム４１ａ，４１ｂ，４１ｃ，４１ｄの周囲には、感光体ドラム４１の回転方向に沿って上流側から下流側へ順に、帯電部４２と、レーザースキャナーユニット４３と、現像器４４と、クリーニング部４５とが配置される。帯電部４２は、感光体ドラム４１の表面を帯電させる。レーザースキャナーユニット４３は、感光体ドラム４１の表面から離れて配置され、原稿読取部２０によって読み取られた原稿Ｇに関する画像データに基づいて感光体ドラム４１の表面を走査露光する。これにより、感光体ドラム４１の表面には、露光された部分の電荷が除去されて静電潜像が形成される。現像器４４は、感光体ドラム４１の表面に形成された静電潜像にトナーを付着させてトナー画像を形成する。クリーニング部４５は、除電器（図示せず）によって感光体ドラム４１の表面が除電された後のその表面に残るトナー等を除去する。
トナーカートリッジ４６は、現像器４４に供給される各色のトナーを収容する。トナーカートリッジ４６と現像器４４とは、トナー供給路（図示せず）により接続されている。
【００１９】
１次転写ローラー４７（４７ａ，４７ｂ，４７ｃ，４７ｄ）は、中間転写ベルト４８における各感光体ドラム４１ａ，４１ｂ，４１ｃ，４１ｄとは反対側にそれぞれ配置される。中間転写ベルト４８は、画像形成部４０及び転写部５０を通過するベルトである。中間転写ベルト４８の一部分は、各感光体ドラム４１ａ，４１ｂ，４１ｃ，４１ｄと各１次転写ローラー４７ａ，４７ｂ，４７ｃ，４７ｄとの間に挟み込まれ、各感光体ドラム４１ａ，４１ｂ，４１ｃ，４１ｄの表面に形成されたトナー画像が１次転写される。対向ローラー４９は、環状形状の中間転写ベルト４８の内側に配置され、中間転写ベルト４８を図１に示す矢印Ａ方向に進行させるための駆動ローラーである。
【００２０】
転写部５０は、２次転写ローラー５１を備える。２次転写ローラー５１は、中間転写ベルト４８に関して対向ローラー４９とは反対側に配置され、中間転写ベルト４８の一部分を対向ローラー４９との間に挟みこむ。さらに、２次転写ローラー５１は、中間転写ベルト４８に１次転写されたトナー画像を用紙Ｔに２次転写させる。
【００２１】
定着部６０は、加熱回転体６１と、加圧回転体６２とを備える。加熱回転体６１と加圧回転体６２とは、トナー画像が２次転写された用紙Ｔを挟み込んで、トナーを溶融及び加圧し、そのトナーを用紙Ｔに定着させる。
【００２２】
次に、コピー機１の機能構成について説明する。図２は、コピー機１の機能構成を示すブロック図である。図３は、操作部７０について説明するための図である。図４は、タッチパネル７２に表示されるリムーバブルメディア（ＵＳＢメモリー１１０）のアイコンについて説明するための図である。
【００２３】
図２に示すように、コピー機１は、上述した構成要素（原稿搬送部１０、原稿読取部２０、用紙搬送部３０、画像形成部４０、転写部５０及び定着部６０）を備える。用紙搬送部３０、画像形成部４０、転写部５０及び定着部６０によりエンジン部３が構成される。なお、図１を用いて説明した構成要素については、その説明を省略する。
さらに、コピー機１は、上述した機能構成に加えて、操作部７０と、記憶部８０と、インターフェイス部１００と、制御部９０とを備える。
【００２４】
図３に示すように、操作部７０は、テンキー７１、タッチパネル７２、スタートキー７３及びＬＥＤ（Ｌｉｇｈｔ  Ｅｍｉｔｔｉｎｇ  Ｄｉｏｄｅ）７４等を備える。テンキー７１は、印刷部数等の数字を入力するために操作される。
タッチパネル７２は、種々の機能（一例として、印刷倍率の設定機能や、複数のページを１枚の用紙Ｔに割り付ける機能（２ｉｎ１等））が割り当てられた複数のキー（ボタン画像）等を表示する。タッチパネル７２に表示されたキーは、種々の機能のうちのいずれかをコピー機１に実行させるために操作される。
スタートキー７３は、印刷を実行させるために操作される。操作部７０は、いずれかのキーが操作されることにより、このキーが操作されたことを表す信号を制御部９０に供給する。
ＬＥＤ７４は、種々の色の光を出射する。例えば、ＬＥＤ７４は、緑色、黄色及び赤色のそれぞれの光を出射する。ＬＥＤ７４は、出射する光の色の違いによって、後述するインターフェイス部１００に装着された外部記憶部の状態をユーザーに提示する。
【００２５】
図２に示すように、記憶部８０は、ハードディスクや半導体メモリー等から構成される。記憶部８０は、原稿読取部２０によって読み取られた原稿Ｇに基づく画像データを記憶する。また、記憶部８０は、コピー機１において利用される制御プログラム、及びこの制御プログラムによって利用されるデータ等を記憶する。
【００２６】
インターフェイス部１００には、着脱可能に外部記憶部が装着される。外部記憶部は、例えば、ＵＳＢメモリー及びメモリーカード等のリムーバブルメディアである。したがって、インターフェイス部の具体例は、ＵＳＢポート又はカードスロットである。なお、以下では、外部記憶部としてＵＳＢメモリー１１０を例示して説明する。また、インターフェイス部１００は、検知部１０１を備える。検知部１０１は、ＵＳＢメモリー１１０がインターフェイス部１００に装着されたことを検知する。
【００２７】
制御部９０は、原稿搬送部１０、原稿読取部２０、エンジン部３、操作部７０等を制御する。
また、制御部９０は、ジョブ発生制御部９１と、承認部９２と、マウント処理部９３と、アンマウント処理部９４と、報知制御部（表示制御部９５及びＬＥＤ制御部９６）と、リスト作成部９７と、を備える。
【００２８】
ジョブ発生制御部９１は、ジョブを発生させるよう制御する。ジョブは、例えば、原稿読取部２０によって原稿Ｇの画像を読み取って、原稿Ｇの画像データをＵＳＢメモリー１１０に記憶させるジョブ、及び、インターフェイス部１００に装着されたＵＳＢメモリー１１０に記憶される画像データに基づいて、エンジン部３によって用紙Ｔに画像を形成させるジョブ等である。したがって、ジョブ発生制御部９１は、例えば、原稿Ｇの画像を読み取るよう原稿読取部２０を制御し、及び、画像データに基づいて用紙に画像を形成するようエンジン部３を制御する。
【００２９】
承認部９２は、ＵＳＢメモリー１１０にアクセスすることを承認する。例えば、原稿読取部２０によって原稿Ｇの画像を読み取って、原稿Ｇの画像データをＵＳＢメモリー１１０に記憶させるジョブをジョブ発生制御部９１によって発生させる場合に、スタートキー７３が操作されると、承認部９２は、ＵＳＢメモリー１１０にアクセスすること（ＵＳＢメモリー１１０のマウントを行うこと）を承認する。
【００３０】
また、承認部９２は、後述する表示制御部９５によってＵＳＢメモリー１１０のマウント処理を行ってもよいか確認を求める画像（一例として、確認キー）をタッチパネル７２に表示させることも可能である。この場合、ユーザーによってマウント処理を行うことの確認が行われた場合（例えば、上述した確認キーが操作（タッチ）された場合）に、承認部９２は、ＵＳＢメモリー１１０にアクセスすること（ＵＳＢメモリー１１０のマウントを行うこと）を承認する。このように、例えば、確認キーの操作をユーザーに求める場合には、ユーザーは、確認キーを操作することにより、ＵＳＢメモリー１１０のマウントが行われることを明確に認識することができる。よって、コピー機１は、ＵＳＢメモリー１１０のアンマウントが行われる前に、ＵＳＢメモリー１１０がインターフェイス部１００から取り外されることにより、データが損失する可能性を低く抑えることができる。
【００３１】
マウント処理部９３は、インターフェイス部１００に装着されたＵＳＢメモリー１１０にアクセスすることが必要なジョブをジョブ発生制御部９１が発生させる場合に、承認部９２がＵＳＢメモリー１１０にアクセスすることについて承認すると、ＵＳＢメモリー１１０のマウントを行う。ＵＳＢメモリー１１０のマウントが行われた後には、制御部９０（具体的には、不図示の読出書込部）は、例えば、ＵＳＢメモリー１１０にデータを書き込むことが可能になり、また、ＵＳＢメモリー１１０からデータを読み出すことが可能になる。
【００３２】
アンマウント処理部９４は、ジョブ発生制御部９１によって発生されたジョブが終了した場合に、ＵＳＢメモリー１１０のアンマウントを行う。ＵＳＢメモリー１１０のアンマウントが行われた後には、制御部９０（具体的には、上述した読出書込部）は、ＵＳＢメモリー１１０にデータを書き込むことができなくなり、また、ＵＳＢメモリー１１０からデータを読み出すことができなくなる。また、ＵＳＢメモリー１１０のアンマウントが行われた後には、ＵＳＢメモリー１１０は、データの損失を生じることなく、インターフェイスから取り外されることが可能になる。
【００３３】
報知制御部は、マウント処理部９３によってＵＳＢメモリー１１０のマウントが行われる場合、及び、アンマウント処理部９４によってＵＳＢメモリー１１０のアンマウントが行われた場合に、それぞれ異なる報知を行う。具体的には、報知制御部は、表示制御部９５と、ＬＥＤ制御部９６とを備える。
【００３４】
表示制御部９５は、検知部１０１によってインターフェイス部１００にＵＳＢメモリー１１０が装着されたことが検知された場合に、ＵＳＢメモリー１１０のアイコン７２１をタッチパネル７２に表示させる（図４参照）。ここで、表示制御部９５は、ＵＳＢメモリー１１０のマウントが行われていない状態では、ＵＳＢメモリー１１０のアイコン７２１を第１の態様でタッチパネル７２に表示させる（図４（Ａ）参照）。また、ＵＳＢメモリー１１０のマウントを行う場合には、表示制御部９５は、ＵＳＢメモリー１１０のアイコン７２１を第１の態様とは異なる第２の態様でタッチパネル７２に表示させる（図４（Ｂ）参照）。また、ＵＳＢメモリー１１０にアクセスするジョブが発生する場合には、表示制御部９５は、ＵＳＢメモリー１１０のアイコン７２１を第１の態様及び第２の態様とは異なる第３の態様でタッチパネル７２に表示させる（図４（Ｃ）参照）。
【００３５】
第１の態様は、ＵＳＢメモリー１１０がインターフェイス部１００から取り外されることが可能な状態を示すものであり、例えば、ＵＳＢメモリー１１０のアイコン７２１を緑色で示すものである。また、第２の態様は、ＵＳＢメモリー１１０のマウントが行われることを示すものである。詳細には、第２の態様は、ＵＳＢメモリー１１０にアクセスするジョブが選択されてから、承認部９２による承認が行われるまでの表示態様である。具体例としては、第２の態様は、ＵＳＢメモリー１１０のアイコン７２１を黄色で示すものである。第３の態様は、ＵＳＢメモリー１１０にアクセスするジョブが発生すること（ＵＳＢメモリー１１０のマウントが行われること）を示すものである。詳細には、第３の態様は、承認部９２による承認が行われてから、ＵＳＢメモリー１１０のマウントが行われているときまでの表示態様である。具体例としては、第３の態様は、ＵＳＢメモリー１１０のアイコン７２１を赤色で示すものである。
【００３６】
したがって、表示制御部９５は、マウント処理部９３によってＵＳＢメモリー１１０のマウントが行われる場合には、ＵＳＢメモリー１１０のアイコン７２１を第２の態様又は第３の態様でタッチパネル７２に表示させる。また、表示制御部９５は、アンマウント処理部９４によってＵＳＢメモリー１１０のアンマウントが行われた場合には、ＵＳＢメモリー１１０をインターフェイス部１００から取り外すことが可能な状態になるため、ＵＳＢメモリー１１０のアイコン７２１を第１の態様でタッチパネル７２に表示させる。
【００３７】
また、ＬＥＤ制御部９６は、ＵＳＢメモリー１１０のマウントが行われていない場合と、ＵＳＢメモリー１１０のマウントが行われる場合と、ＵＳＢメモリー１１０にアクセスするジョブが発生する（ＵＳＢメモリー１１０のマウントが行われる）場合とで、ＬＥＤ７４から出射される光の色を変化させる。例えば、ＬＥＤ制御部９６は、ＵＳＢメモリー１１０のマウントが行われていない場合では、第１の色（一例として緑色）の光をＬＥＤ７４から出射させる。また、ＬＥＤ制御部９６は、ＵＳＢメモリー１１０のマウントが行われる場合（第２の態様は、ＵＳＢメモリー１１０にアクセスするジョブが選択されてから、承認部９２による承認が行われるまでの間）では、第１の色とは異なる第２の色（一例として黄色）の光をＬＥＤ７４から出射させる。また、ＬＥＤ制御部９６は、ＵＳＢメモリー１１０にアクセスするジョブが発生する場合（承認部９２による承認が行われてから、ＵＳＢメモリー１１０のマウントが行われているときまでの間）では、第１の色及び第２の色とは異なる第３の色（一例として赤色）の光をＬＥＤ７４から出射させる。
【００３８】
したがって、ＬＥＤ制御部９６は、マウント処理部９３によってＵＳＢメモリー１１０のマウントが行われる場合には、ＬＥＤ７４から第２の色又は第３の色を出射させる。また、ＬＥＤ制御部９６は、アンマウント処理部９４によってＵＳＢメモリー１１０のアンマウントが行われた場合には、ＵＳＢメモリー１１０をインターフェイス部１００から取り出すことが可能な状態になるため、ＬＥＤ７４から第１の色を出射させる。
【００３９】
なお、コピー機１は、音を出力するスピーカー（図示せず）を備えることが好ましい。この場合、制御部９０は、報知制御部として音出力制御部（図示せず）を備える。そして、音出力制御部は、ＵＳＢメモリー１１０のマウントが行われる場合には、ＵＳＢメモリー１１０をインターフェイス部１００から取り出さないよう警告するための音や音声をスピーカーから出力させる。
【００４０】
リスト作成部９７は、ＵＳＢメモリー１１０がインターフェイス部１００に装着された後、マウント処理部９３によってＵＳＢメモリー１１０のマウントが行われた場合に、ＵＳＢメモリー１１０に記録されるデータのリストを作成し、記憶部８０に記憶する。
【００４１】
次に、本実施形態のコピー機１におけるＵＳＢメモリー１１０のマウント及びアンマウントの動作について説明する。まず、コピー機１（インターフェイス部１００）にＵＳＢメモリー１１０が装着された場合の動作について説明する。図５は、コピー機１（インターフェイス部１００）にＵＳＢメモリー１１０が装着された場合の動作について説明するためのフローチャートである。
【００４２】
ステップＳＴ１１において、検知部１０１は、ＵＳＢメモリー１１０がインターフェイス部１００に装着されたか否かを判断する。ＵＳＢメモリー１１０がインターフェイス部１００に装着されていない場合には、ステップＳＴ１１の判断が再度行われる。ＵＳＢメモリー１１０がインターフェイス部１００に装着されている場合には、処理は、ステップＳＴ１２に進む。
【００４３】
ステップＳＴ１２において、マウント処理部９３は、ＵＳＢメモリー１１０のマウント処理を実行する。これにより、ＵＳＢメモリー１１０については、マウントが行われる。また、ＵＳＢメモリー１１０のマウント処理に先立って、表示制御部９５は、タッチパネル７２にＵＳＢメモリー１１０のアイコン７２１を第３の態様で表示させる。また、ＬＥＤ制御部９６は、ＬＥＤ７４から第３の色の光を出射させる。
【００４４】
ステップＳＴ１３において、リスト作成部９７は、ＵＳＢメモリー１１０に記憶されるデータ（画像データ）に関してのリストを作成して、記憶部８０に記憶させる。
【００４５】
ステップＳＴ１４において、アンマウント処理部９４は、ＵＳＢメモリー１１０のアンマウント処理を実行する。これにより、ＵＳＢメモリー１１０については、アンマウントが行われる。また、ＵＳＢメモリー１１０のアンマウントが行われた場合には、表示制御部９５は、タッチパネル７２にＵＳＢメモリー１１０のアイコン７２１を第１の態様で表示させる。また、ＬＥＤ制御部９６は、ＬＥＤ７４から第１の色の光を出射させる。
【００４６】
ＵＳＢメモリー１１０のアンマウントが行われた後は、ＵＳＢメモリー１１０は、データの損失を生じることなく、インターフェイス部１００から取り外されることが可能になる。また、ＵＳＢメモリー１１０のアンマウントが行われた後に、記憶部８０に記憶されるデータ（画像データ）のリストが必要になった場合には、ステップＳＴ１３にて作成されたリストが利用される。これにより、リストを得るために、ＵＳＢメモリー１１０のマウントを行う必要がなくなる。
【００４７】
次に、ＵＳＢメモリー１１０にアクセスするジョブが発生する場合の動作について説明する。図６は、ＵＳＢメモリー１１０にアクセスするジョブが発生する場合の動作について説明するための図である。なお、第２の動作に先立って、ＵＳＢメモリー１１０がインターフェイス部１００に装着されている。
【００４８】
ステップＳＴ２１において、制御部９０は、ＵＳＢメモリー１１０にアクセスするジョブが選択されたことを受け付ける。例えば、タッチパネル７２に表示されるキーが操作されることに基づいて、原稿読取部２０によって原稿Ｇの画像を読み取ること、及び読み取った画像（画像データ）をＵＳＢメモリー１１０に記憶させることが選択された場合には、制御部９０は、原稿読取部２０によって原稿Ｇの画像を読み取って、画像データをＵＳＢメモリー１１０に記憶させるジョブの選択を受け付ける。
【００４９】
ステップＳＴ２２において、表示制御部９５及びＬＥＤ制御部９６は、第１の警告を行う。具体的には、表示制御部９５は、タッチパネル７２に表示されるＵＳＢメモリー１１０のアイコン７２１を第１の態様から第２の態様に移行させることにより、ユーザーに対して警告を行う。また、ＬＥＤ制御部９６は、ＬＥＤ７４から出射される光を第１の色から第２の色に変えることにより、ユーザーに対して警告を行う。
【００５０】
ステップＳＴ２３において、承認部９２は、ＵＳＢメモリー１１０にアクセスすること（ＵＳＢメモリー１１０のマウントを行うこと）が承認されたか否かを判断する。例えば、承認部９２は、スタートキー７３が操作されたか否かを判断する。また、タッチパネル７２に確認キーが表示される場合には、承認部９２は、ＵＳＢメモリー１１０にアクセスすることの確認キーが操作されたか否かを判断する。承認されていない場合には、ステップＳＴ２３の処理が再度行われる。承認された場合には、処理は、ステップＳＴ２４に進む。
【００５１】
ステップＳＴ２４において、表示制御部９５及びＬＥＤ制御部９６は、第２の警告を行う。具体的には、表示制御部９５は、タッチパネル７２に表示されるＵＳＢメモリー１１０のアイコン７２１を第２の態様から第３の態様に移行させることにより、ユーザーに対して警告を行う。また、ＬＥＤ制御部９６は、ＬＥＤ７４から出射される光を第２の色から第３の色に変えることにより、ユーザーに対して警告を行う。
【００５２】
ステップＳＴ２５において、マウント処理部９３は、ＵＳＢメモリー１１０のマウント処理を行う。
【００５３】
ステップＳＴ２６において、ジョブ発生制御部９１は、ステップＳＴ２１にて選択されたジョブを実行させる。例えば、ジョブ発生制御部９１は、原稿読取部２０によって原稿Ｇの画像を読み取らせて、読み取った画像に対応する画像データをＵＳＢメモリー１１０に記憶させる。
【００５４】
ステップＳＴ２７において、ジョブ発生制御部９１は、ステップＳＴ２６にて実行させたジョブが終了したか否かを判断する。ジョブが終了していない場合（Ｎｏ）には、ステップＳＴ２７の判断が再度行われる。ジョブが終了した場合には、処理は、ステップＳＴ２８に進む。
【００５５】
ステップＳＴ２８において、アンマウント処理部９４は、ＵＳＢメモリー１１０のアンマウント処理を行う。ＵＳＢメモリー１１０のアンマウントが行われた後には、表示制御部９５は、ＵＳＢメモリー１１０のアイコン７２１の表示を第３の態様から第１の態様に移行させる。また、ＬＥＤ制御部９６は、ＬＥＤ７４から出射される光を第３の色から第１の色に変える。
ステップＳＴ２８の後には、処理は、終了する。
【００５６】
以上説明したように、本実施形態のコピー機１によれば、以下の効果が奏される。
すなわち、本実施形態のコピー機１は、ジョブを発生させるよう制御するジョブ発生制御部９１と、着脱可能にＵＳＢメモリー１１０が装着されるインターフェイス部１００と、ＵＳＢメモリー１１０にアクセスすることを承認する承認部９２と、インターフェイス部１００に装着されたＵＳＢメモリー１１０にアクセスすることが必要なジョブをジョブ発生制御部９１が発生させる場合に、承認部９２がＵＳＢメモリー１１０にアクセスすることについて承認すると、ＵＳＢメモリー１１０のマウントを行うマウント処理部９３と、を備える。
【００５７】
これにより、ＵＳＢメモリー１１０へのアクセスが必要なときのみにＵＳＢメモリー１１０のマウントが行われるため、ユーザーは、ＵＳＢメモリー１１０のマウントが行われるまでＵＳＢメモリー１１０を自由に取り外すことができる。すなわち、コピー機は、データの損失を防ぐことができる。また、ＵＳＢメモリー１１０へのアクセスが必要な場合には、ユーザーは、インターフェイス部１００に装着されているＵＳＢメモリー１１０をいったん取り外してから再度装着する行為を必要としない。
【００５８】
また、コピー機１は、ジョブ発生制御部９１によって発生されたジョブが終了した場合に、ＵＳＢメモリー１１０のアンマウントを行うアンマウント処理部９４をさらに備える。これにより、ユーザーは、ＵＳＢメモリー１１０を取り外す場合に、明示的なアンマウント操作を必要としない。よって、コピー機１は、ＵＳＢメモリー１１０が取り外されるときに、データの損失が生じる可能性を最小限に留めることができる。
【００５９】
また、コピー機１は、マウント処理部９３によってＵＳＢメモリー１１０のマウントが行われる場合、及び、アンマウント処理部９４によってＵＳＢメモリー１１０のアンマウントが行われた場合に、それぞれ異なる報知を行う表示制御部９５及びＬＥＤ制御部９６をさらに備える。これにより、コピー機１は、ＵＳＢメモリー１１０をインターフェイス部１００から取り外すことができる状態か、ＵＳＢメモリー１１０をインターフェイス部１００から取り外すことができない状態かをユーザーに示すことができる。すなわち、ユーザーは、ＵＳＢメモリーのマウントを確実に認識することができる。
【００６０】
なお、本発明は、上述した実施形態に限定されることはなく、種々の形態で実施することができる。
本実施形態のコピー機１は、カラーコピー機であるが、この形態に限定されることはなく、モノクロコピー機であってもよい。
また、本実施形態のコピー機１は、中間転写ベルト４８を介して用紙Ｔにトナー画像を転写している（間接転写方式）が、この形態に限定されることはなく、感光体ドラムに形成されたトナー画像を直接に用紙Ｔに転写してもよい（直接転写方式）。
また、本実施形態のコピー機１は、用紙Ｔの片面を印刷する構成であるが、これに限定されることはなく、用紙の両面を印刷する構成であってもよい。
【００６１】
また、本発明の画像形成装置は、上述したコピー機１に限定されることはない。すなわち、本発明の画像形成装置は、コピー機能、ファクシミリ機能、プリンター機能及びスキャナー機能を備える複合機であってもよく、ファクシミリやプリンターであってもよい。
また、本発明の画像形成装置によってトナー画像が定着される画像形成媒体は用紙Ｔに限定されることはなく、例えば、ＯＨＰ（オーバーヘッドプロジェクター）シート等のフィルムシートであってもよい。
【符号の説明】
【００６２】
１…コピー機（画像形成装置）、９１…ジョブ発生制御部、９２…承認部、９３…マウント処理部、９４…アンマウント処理部、９５…表示制御部（報知制御部）、９６…ＬＥＤ制御部（報知制御部）、１００…インターフェイス部、１１０…ＵＳＢメモリー（外部記憶部）
【図１】
0005717606.tif 000002
【図２】
0005717606.tif 000003
【図３】
0005717606.tif 000004
【図４】
0005717606.tif 000005
【図５】
0005717606.tif 000006
【図６】
0005717606.tif 000007